(57)【特許請求の範囲】
【請求項１】
キャビネットと該キャビネット内部に収納される表示装置(2)とを具えており、該表示装置(2)は、第１側面と該第１側面に対向する第２側面とを有し、該キャビネットは、少なくとも、該表示装置(2)が見える開口(11)が開設された第１キャビネット部分(1)と、該第１キャビネット部分(1)に取り付けられる第２キャビネット部分(4)とを含む電子装置に於いて、
該第２キャビネット部分(4)の裏面には、該表示装置(2)の該第１側面に当接して該表示装置(2)を付勢するバネ部材(51a)と、該バネ部材(51a)による該表示装置(2)の移動を制限するストッパ部材(51b)とが設けられ、
該第１キャビネット部分(1)の裏面には、該表示装置(2)の該第２側面に当接する基準面(14)が形成されると共に、該第１キャビネット部分(1)が該第２キャビネット部分(4)に取り付けられた状態のとき、該バネ部材(51a)との間で該表示装置(2)を挟持する位置決め部材(13a)が突出しており、
該表示装置(2)又は該位置決め部材(13a)には、該第１キャビネット部分(1)が該第２キャビネット部分(4)に取り付けられる際に、該バネ部材(51a)と該ストッパ部材(51b)とによって挟持された該表示装置(2)を、該基準面(14)に該表示装置(2)の該第２側面が当接するまで、該バネ部材(51a)の付勢に逆って移動させるガイド手段が形成されていることを特徴とする電子装置。
【請求項２】
キャビネットと、該キャビネットに収納されるホルダ(3)及び表示装置(2)とを具えており、該表示装置(2)は、第１側面と該第１側面に対向する第２側面とを有し、該キャビネットは、少なくとも、該表示装置(2)が見える開口(11)が開設された第１キャビネット部分(1)と、該第１キャビネット部分(1)又は該ホルダ(3)に取り付けられる第２キャビネット部分(4)とを含む電子装置に於いて、
該ホルダ(3)には、該表示装置(2)の該第１側面に当接して該表示装置(2)を付勢するバネ部材(51a)と、該バネ部材(51a)による該表示装置(2)の移動を制限するストッパ部材(51b)とが設けられ、
第１キャビネット部分(1)の裏面には、該表示装置(2)の該第２側面に当接する基準面(14)が形成されると共に、該第１キャビネット部分(1)が該第２キャビネット部分(4)に取り付けられた状態のとき、該バネ部材(51a)との間で該表示装置(2)を挟持する位置決め部材(13a)が突出しており、
該表示装置(2)又は該位置決め部材(13a)には、該第１キャビネット部分(1)が該第２キャビネット部分(4)又は該ホルダ(3)に取り付けられる際に、該バネ部材(51a)と該ストッパ部材(51b)とによって挟持された該表示装置(2)を、該基準面(14)に該表示装置(2)の該第２側面が当接するまで、該バネ部材(51a)の付勢に逆って移動させるガイド手段が形成されていることを特徴とする電子装置。
【請求項３】
該ガイド手段は、該位置決め部材(13a)の先端部から該開口(11)に向かって傾斜するガイド面(15)、又は、該表示装置(2)の前面と該第２側面との間に形成され、該表示装置(2)の該前面から該表示装置(2)の後方且つ外方へ向かって傾斜するガイド面(28)である請求項１又は請求項２に記載の電子装置。
【請求項４】
該第１キャビネット部分(1)の該裏面には、該表示装置(2)の前面を押圧する押圧部材(16)が突出している請求項１乃至請求項３の何れかに記載の電子装置。
【請求項５】
該押圧部材(16)は、該開口(11)を塞ぐ透明板(20)である請求項４に記載の電子装置。
【請求項６】
キャビネットと該キャビネット内部に収納される表示装置(2)とを具えており、該表示装置(2)は、第１側面と該第１側面に対向する第２側面と有し、該キャビネットは、少なくとも、該表示装置(2)が露出する開口(11)が開設された第１キャビネット部分(1)と、該第１キャビネット部分(1)に取り付けられる第２キャビネット部分(4)とを含む電子装置に於いて、
該第２キャビネット部分(4)の裏面には、該表示装置(2)の該第１側面に当接して該表示装置(2)を付勢するバネ部材(51a)と、該バネ部材(51a)による該表示装置(2)の移動を制限するストッパ部材(51b)とが設けられ、
該第１キャビネット部分(1)の裏面には、該表示装置(2)の該第２側面に当接する基準面(14)が形成されると共に、該第１キャビネット部分(1)が該第２キャビネット部分(4)に取り付けられた状態のとき、該バネ部材(51a)との間で該表示装置(2)を挟持する位置決め部材(13a)が突出しており、
該表示装置(2)又は該位置決め部材(13a)には、該第１キャビネット部分(1)が該第２キャビネット部分(4)に取り付けられる際に、該バネ部材(51a)と該ストッパ部材(51b)とによって挟持された該表示装置(2)を、該基準面(14)に該表示装置(2)の該第２側面が当接するまで、該バネ部材(51a)の付勢に逆って移動させるガイド手段が形成されていることを特徴とする電子装置。
【請求項７】
キャビネットと、該キャビネットに収納されるホルダ(3)及び表示装置(2)とを具えており、該表示装置(2)は、第１側面と該第１側面に対向する第２側面とを有し、該キャビネットは、少なくとも、該表示装置(2)が露出する開口(11)が開設された第１キャビネット部分(1)と、該第１キャビネット部分(1)又は該ホルダ(3)に取り付けられる第２キャビネット部分(4)とを含む電子装置に於いて、
該ホルダ(3)には、該表示装置(2)の該第１側面に当接して該表示装置(2)を付勢するバネ部材(51a)と、該バネ部材(51a)による該表示装置(2)の移動を制限するストッパ部材(51b)とが設けられ、
第１キャビネット部分(1)の裏面には、該表示装置(2)の該第２側面に当接する基準面(14)が形成されると共に、該第１キャビネット部分(1)が該第２キャビネット部分(4)に取り付けられた状態のとき、該バネ部材(51a)との間で該表示装置(2)を挟持する位置決め部材(13a)が突出しており、
該表示装置(2)又は該位置決め部材(13a)には、該第１キャビネット部分(1)が該第２キャビネット部分(4)又は該ホルダ(3)に取り付けられる際に、該バネ部材(51a)と該ストッパ部材(51b)とによって挟持された該表示装置(2)を、該基準面(14)に該表示装置(2)の該第２側面が当接するまで、該バネ部材(51a)の付勢に逆って移動させるガイド手段が形成されていることを特徴とする電子装置。
【請求項８】
それぞれ異なる方向に該表示装置(2)を付勢する複数のバネ部材(51a)(52a)と、複数のストッパ部材(51b)(52b)と、複数の位置決め部材(13a)(13b)と、複数のガイド手段とを具える請求項１乃至請求項７の何れかに記載の電子装置。
【発明の詳細な説明】
【０００１】
【発明の属する技術分野】
本発明は、テレビジョンセット、パーソナルコンピュータ、携帯電話、及びデジタルスチルカメラ等に代表される、ＬＣＤ等の表示装置を具える電子装置に関する。
【０００２】
【従来の技術】
近年、ＬＣＤ（liquid crystal display）、ＥＬＤ（electroluminescent display）及びＰＤＰ（plasma display panel）など、ＦＰＤ（flat panel display)と称される薄型の表示装置は、テレビジョンセットやパーソナルコンピュータにおいて画像情報の表示に使用されている。特に小型のＬＣＤは、携帯電話やデジタルスチルカメラ等の高い機動性を有する電子装置において、画像情報、装置の設定情報、及び装置の状態情報を表示するために使用されている。
【０００３】
一般に、上記のような表示装置を具えた電子装置では、電子装置のキャビネット内に表示装置が収納されており、キャビネットに開設された開口から表示装置の表示パネルが見えている。小型装置に設けられた表示装置の多くでは、開口の縁に極めて近い領域に、設定情報（例えば、動作モードを示す文字）又は状態情報（例えば、バッテリー残量を示す図形）が表示される。従って、電子装置の組立て作業において、開口に対して表示装置を高精度で位置決めして固定しなければ、電子装置の完成後に、これら情報の一部がキャビネットによって隠れてしまう。また、組立て作業の効率を考えると、電子装置は、表示装置の位置決め及び固定を容易に行える機構を有することが好ましい。
【０００４】
表示装置の位置決め及び固定に関する従来技術を説明するために、電子装置の一例として、特開平１１−１４９１２１号に開示されたカメラを取り上げる。図１１ａ及び図１１ｂは、このカメラが有するＬＣＤ(70)及びその周辺を示す断面図である。ＬＣＤ(70)は、フレキシブルプリント基板(71)（以下、「ＦＰＣ」と称す）を介して、各種のブロックユニット及び押圧板(85)が取り付けられたメインボティ（図示せず）に接続されている。メインボディに取り付けられる外部カバー(80)には開口(81)が開設されており、開口(81)からＬＣＤ(70)が露出している。ＬＣＤ(70)と押圧板(85)の間には、ＥＬシート(87)が挟持される。
【０００５】
図１１ａは、第１従来例を示している。カメラの組立て作業では、まず、ＬＣＤ(70)は、押圧板(85)に形成された窪み(86)に落とし込まれることによって、押圧板(85)に取り付けられる。次に、外部カバー(80)がメインボディに取り付けられる。その際に、ＬＣＤ(70)は、外部カバー(80)の裏面に設けられた位置決め片(82)(82)によって、開口(81)に対して位置決めされる。さらに、ＬＣＤ(70)は、押し圧片(83)(83)で押圧されて固定される。
【０００６】
図１１ｂは、第２従来例である。外部カバー(80)の裏面には、位置決め片(82)及び押し圧片(83)(83)に加えて、Ｕ字状の溝を形成する第２位置決め片(84)が設けられている。カメラの組立て作業では、まず、ＬＣＤ(70)が、位置決め片(82)と第２位置決め片(84)の間に嵌め込まれる。これにより、ＬＣＤ(70)は、外部カバー(80)の開口(81)に対して位置決めされる。そして、外部カバー(80)をメインボディに取り付けると、ＬＣＤ(70)が固定される。
【０００７】
【発明が解決しようとする課題】
しかしながら、上記のような従来の電子装置における表示装置の位置決め機構及び組立て作業には、以下の問題があった。まず、上記の従来例のような構成では、開口(81)に対してＬＣＤ(70)を高精度で位置決めできない。従来例では、ＬＣＤ(70)を嵌め込むために、位置決め片(82)(82)の基準面間の距離（図１１ａ）を、又は位置決め片(82)と第２位置決め片(84)間の基準面間の距離（図１１ｂ）を、ＬＣＤ(70)の縦幅よりも若干大きくする必要がある。そのため、ＬＣＤ(70)にがたつきが生じて、ＬＣＤ(70)の位置決め精度が悪くなる。仮に、押圧板(85)に対して精度良くＬＣＤ(70)を位置決め及び固定して、その後に外部カバー(80)を取り付けても、メインボディに対する外部カバー(80)の位置誤差が生じると、この誤差分だけ、ＬＣＤ(70)は開口(81)に対してずれてしまう。
【０００８】
また、第１従来例では、ＬＣＤ(70)がＦＰＣ(71)を介して不安定な状態でメインボディとつながっている。ゆえに、ＬＣＤ(70)を押圧板(85)に形成した窪み(86)に落とし込んでも、微小な衝撃でＬＣＤ(70)が容易に窪み(86)から外れてしまう。作業者は、ＬＣＤ(70)が窪み(86)から外れないようにメインボディを取り扱う必要があるので、外部カバー(80)の取付け作業の際にメインボディの姿勢が制限されて作業効率が悪くなる。
【０００９】
また、第２従来例のように、外部カバー(80)にＬＣＤ(70)を予め取り付ける場合、ＬＣＤ(70)を容易に取付け可能にするためには、ＦＰＣ(71)を、メインボディとの接続に必要な長さ以上に長くせねばらならない。作業者は、一方の手に外部カバー(80)を持ち、他方の手にＬＣＤ(70)を持って作業を行う。よって、ＦＰＣ(71)が長いと、ＦＰＣ(71)の移動可能な範囲が広がるので、ＬＣＤ(70)の取付け作業が容易になる。しかしながら、ＦＰＣ(71)が長くなる分だけ、カメラ内部において、ＦＰＣ(71)の収納に要する空間を大きくしなければならない。 加えて、ＦＰＣ(71)の屈曲状態を収納に適した形に整える工程を、組立て作業に追加する必要も生じる。
【００１０】
本発明は、上記の問題を解決して、開口に対して表示装置を容易に高精度で位置決めすることができ、さらに、表示装置の位置決め及び固定作業を容易に行える、表示装置を具えた電子装置を提供することを目的とする。
【００１１】
【課題を解決する為の手段】
本発明は、キャビネットと該キャビネット内部に収納される表示装置とを具えており、該表示装置は、第１側面と該第１側面に対向する第２側面とを有し、該キャビネットは、少なくとも、該表示装置が見える開口が開設された第１キャビネット部分と、該第１キャビネット部分に取り付けられる第２キャビネット部分とを含む電子装置に於いて、該第２キャビネット部分の裏面には、該表示装置の該第１側面に当接して該表示装置を付勢するバネ部材と、該バネ部材による該表示装置の移動を制限するストッパ部材とが設けられ、該第１キャビネット部分の裏面には、該表示装置の該第２側面に当接する基準面が形成されると共に、該第１キャビネット部分が該第２キャビネット部分に取り付けられた状態のとき、該バネ部材との間で該表示装置を挟持する位置決め部材が突出しており、該表示装置又は該位置決め部材には、該第１キャビネット部分が該第２キャビネット部分に取り付けられる際に、該バネ部材と該ストッパ部材とによって挟持された該表示装置を、該基準面に該表示装置の該第２側面が当接するまで、該バネ部材の付勢に逆って移動させるガイド手段が形成されていることを特徴とする。
【００１２】
また、本発明は、キャビネットと、該キャビネットに収納されるホルダ及び表示装置とを具えており、該表示装置は、第１側面と該第１側面に対向する第２側面とを有し、該キャビネットは、少なくとも、該表示装置が見える開口が開設された第１キャビネット部分と、該第１キャビネット部分又は該ホルダに取り付けられる第２キャビネット部分とを含む電子装置に於いて、該ホルダには、該表示装置の該第１側面に当接して該表示装置を付勢するバネ部材と、該バネ部材による該表示装置の移動を制限するストッパ部材とが設けられ、第１キャビネット部分の裏面には、該表示装置の該第２側面に当接する基準面が形成されると共に、該第１キャビネット部分が該第２キャビネット部分に取り付けられた状態のとき、該バネ部材との間で該表示装置を挟持する位置決め部材が突出しており、該表示装置又は該位置決め部材には、該第１キャビネット部分が該第２キャビネット部分又は該ホルダに取り付けられる際に、該バネ部材と該ストッパ部材とによって挟持された該表示装置を、該基準面に該表示装置の該第２側面が当接するまで、該バネ部材の付勢に逆って移動させるガイド手段が形成されていることを特徴とする。
【００１３】
【作用及び効果】
上記構成によれば、電子装置の組立て作業において、バネ部材とストッパ部材とによって表示装置を挟持させることによって、第１キャビネット部分の裏面上又はホルダ上に表示装置を容易に取付け、すなわち仮固定できる。この仮固定状態において、第１キャビネット部分又はホルダの姿勢が変化したり衝撃が加えられても表示装置は脱離しないから、電子装置の組立て作業の効率化が図られる。また、表示装置の取付け作業の便宜を図るために、表示装置の有するＦＰＣ及びリード線を必要以上に長くする必要はない。
【００１４】
さらに、上記構成によれば、以下に説明するように、開口に対して容易に且つ高精度で表示装置を位置決めできる。表示装置が仮固定された後、第１キャビネット部分が第２キャビネット部分又はホルダに取り付けられる際に、表示装置又は位置決め部材に形成されたガイド手段は、バネ部材とストッパ部材とによって挟持された表示装置を、バネ部材の付勢力の方向と反対方向に移動させる。よって、第２キャビネット部分又はホルダに表示装置を、電子装置組立て完了時における所定の位置よりも、バネ部材の付勢力の方向へ若干ずれた状態で仮固定しておくと、第１キャビネット部分を取り付ける際に、表示装置はこの所定の位置に向かって移動する。
【００１５】
第１キャビネット部分の裏面に突出する位置決め部材には、表示装置の一側面に当接する基準面が形成されており、ガイド手段は、基準面に表示装置のこの側面が当接するまで表示装置を移動させる。よって、第１キャビネット部分が第２キャビネット部分又はホルダに取り付けられると、位置決め部材及びバネ部材は、表示装置を挟持する。位置決め部材を開口に対して高精度で配置することは、例えば、第１キャビネットと位置決め部材とを一体的に成形することによって容易に可能である。したがって、本発明によれば、単に、表示装置を仮固定した後、第１キャビネット部分を第２キャビネット部分又はホルダに取り付けるだけで、表示装置は、位置決め部材を基準として開口に対して高精度で位置決めされる。
【００１６】
本発明のガイド手段は、位置決め部材の先端部から該開口に向かって傾斜するガイド面としてよい。第１キャビネット部分を第２キャビネット部分又はホルダに取り付ける際、まず、表示装置の角部がガイド面と当接する。そして、第１キャビネット部分を第２キャビネット部分又はホルダに向けて移動させると、表示装置の角部がガイド面上をスライドして、表示装置がバネ部材の付勢力に逆らって移動する。移動が終了すると、表示装置の側面は位置決め部材の基準面に当接する。
【００１７】
本発明のガイド手段は、表示装置の前面と側面の間に形成され、表示装置の前面から表示装置の後方且つ外方へ向かって傾斜するガイド面としてもよい。第１キャビネット部分を第２キャビネット部分又はホルダに取り付ける際、まず位置決め部材の端部がガイド面と当接する。そして、第１キャビネット部分を第２キャビネット部分又はホルダに向けて移動させると、この端部がガイド面上をスライドして、表示装置がバネ部材の付勢力に逆らって移動する。移動が終了すると、表示装置の側面が位置決め部材の基準面に当接する。
【００１８】
表示装置の前面を押圧する、第１キャビネット部分の裏面から突出する押圧部材を設けると、第２キャビネット部分又はホルダと、押圧部材との間で表示装置が挟持されて、表示装置はより安定に固定される。表示装置を保護するために、押圧部材に開口を塞ぐ透明板を用いてもよい。また、表示装置を付勢する方向が異なる複数のバネ部材、例えば、付勢方向が直交する２つのバネ部材を設けて、これらバネ部材の各々に対応するストッパ部材、位置決め部材、及びガイド手段を設けてもよい。このような構成により、表示装置を開口に対してより確実に位置決めすることができる。
【００１９】
【発明の実施の形態】
発明をデジタルスチルカメラ（以下、単に「カメラ」という）に適用した実施例を、図を用いて詳細に説明する。図１は、カメラの分解斜視図である。カメラのキャビネットは、カメラ背面側に位置する第１キャビネット部分(1)と、撮像用レンズ側、すなわちカメラ前面側に位置する第２キャビネット部分(4)とから構成される。第２キャビネット部分(4)の裏面にはホルダ(3)が配置され、ホルダ(3)には、レンズ及びＣＣＤデバイスを含む撮像ユニットやストロボ装置（共に図示せず）などの内部装置が装着される。さらに、表示装置(2)もホルダ(3)に取り付けられる。第１キャビネット部分(1)を第２キャビネット部分(4)に取り付けると、第１キャビネット部分(1)に開設された開口(11)から表示装置(2)が見える。図示は省略するが、第２キャビネット部分(4)には、第１キャビネット部分(1)を、位置決めして固定するための手段（例えば、ガイド機構やネジ孔など）が設けられている。
【００２０】
第２キャビネット部分(4)には、撮像ユニットのレンズやストロボ装置の発光部等が夫々露出する複数の開口(46)が開設されており、第２キャビネット部分(4)の裏面に設けられた複数の突起(47)の夫々には、ホルダ(3)の固定用ネジが螺合するネジ孔が形成されている。
【００２１】
表示装置(2)は、液晶パネル及びＥＬシートを含む表示パネル部(21)と、該表示パネル部(21)を囲うと共に、表示装置(2)が露出する開口(21)が開設された枠体(22)と、枠体(22)を貫通して外部に伸びるリード線(23)及びＦＰＣ(24)とを有する。リード線(23)は、表示パネル部(21)に駆動電力を供給し、ＦＰＣ(24)は、表示パネル部(21)に画像データ信号及びパネル制御信号等を伝送する。枠体(22)は必ずしも必要でないが、枠体(22)があると、表示装置(2)の表面を本発明に適した形状にでき、表示装置(2)の取付けの際に表示パネル部(21)を衝撃から保護できる。
図２ａに示す如く、ホルダ(3)の各隅部に設けられた突片には、第２キャビネット部分(4)の突起(47)に形成された上述のネジ孔に合わせて孔(38)が開設されている。固定用ネジをホルダ(3)の孔(38)に通して突起(47)のネジ孔に螺合させると、ホルダ(3)は第２キャビネット部分(4)に固定される。表示装置(2)は、ホルダ(3)の平面部(30)の上に取り付けられる。詳細は省略するが、ホルダ(3)には、更に、電池装着用の曲面部、回路基板装着用の窪み部、ファインダ装置装着用の切欠き部及び枠部等が形成されている。
【００２２】
ホルダ(3)には、表示装置(2)の取付け用部材が設けられている。まず、板バネ部材(51a)(52a)がホルダ(3)の表面から突出している。これら板バネ部材は、表示装置(2)の上側面に当接して、カメラの上側から下側に向かう方向(図２ａにおいて上から下に向かう方向)に表示装置(2)を付勢する第１バネ部材(51a)と、表示装置(2)の左側面に当接して、カメラの左側から右側に向かう方向(図２ａにおいて左から右に向かう方向)に表示装置(2)を付勢する第２バネ部材(52a)とからなる。図２ｂは、図２ａにおけるI−I線を含む平面にて第２バネ部材(52a)及びその周辺を破断した状態を示す断面図である。第１バネ部材(51a)及び第２バネ部材(52a)には、表示装置(2)側へ突出する凸部が形成されている。凸部には、平面部(30)に対して傾斜したガイド面が形成されているので、表示装置(2)を平面部(30)上に容易に配置できる。
【００２３】
第１バネ部材(51a)に対応して、平面部(30)の下端には、下方への表示装置(2)の移動を制限する第１ストッパ部材(51b)が突出している。第２バネ部材(52a)に対応して、平面部(30)の右端には、右方への表示装置(2)の移動を制限する第２ストッパ部材(52b)が突出している。さらに、第１バネ部材(51a)の両側には、上方への表示装置(2)の移動を制限する第３ストッパ部材(53)(53)が、第２バネ部材(52a)の両側には、左方への表示装置(2)の移動を制限する第４ストッパ部材(54)(54)が突出している。第３ストッパ部材(53)(53)及び第４ストッパ部材(54)(54)は、表示装置(2)の取付けを補助する部材であり、必ずしも必要ではない。これらがあると、表示装置(2)を平面部(30)上に取り付ける場合に表示装置(2)をより容易に位置決めでき、表示装置(2)をよりホルダ(3)に安定に保持できる。
【００２４】
第１バネ部材(51a)と第１ストッパ部材(51b)とによって表示装置(2)を挟持するために、第１バネ部材(51a)の凸部先端と第１ストッパ部材(51b)の平面部(30)側に位置する面との間の距離は、長方形状に形成された表示装置(2)の縦幅よりも若干短くなっている。同様に、第２バネ部材(52a)の凸部先端と第２ストッパ部材(52b)の平面部(30)側に位置する面との間の距離は、表示装置(2)の横幅よりも若干短くなっている。
【００２５】
図３は、ホルダ(3)の平面部(30)上に表示装置(2)が取り付けられた状態を示す平面図である。第１バネ部材(51a)と第２バネ部材(52a)は、夫々、表示装置(2)を下方と右方へ付勢しており(図３において付勢方向を矢印で示す）、表示装置(2)の下側面と右側面は、夫々、第１ストッパ部材(51b)と第２ストッパ部材(52b)に当接している。ホルダ(3)に取り付けられた表示装置(2)の位置が、カメラ完成状態における所定の位置よりも右方及び下方に若干ずれるように、バネ部材(51a)(52a)及びストッパ部材(51b)(52b)はホルダ(3)表面上に配置されている。さらに、表示装置(2)がホルダ(3)に取り付けた状態において、第３ストッパ部材(53)(53)と第４ストッパ部材(54)(54)は、夫々、これらと表示装置(2)の上側面と左側面の間に若干の隙間が生じるように配置されている。
【００２６】
カメラの組立て作業では、ホルダ(3)を第２キャビネット部分(4)に取り付けた後に、表示装置(2)をホルダ(3)に取り付けてよい。逆に、ホルダ(3)に表示装置(2)を予め取り付けた後に、ホルダ(3)を第２キャビネット部分(4)に取り付けてもよい。表示装置(2)が平面部(30)上に取り付けられた後、表示装置(2)のリード線(23)及びＦＰＣ(24)の端部は、ホルダ(3)に装着された回路基板(図示せず)に接続される。
【００２７】
図４ａは、第１キャビネット部分(1)を裏側から見た斜視図である。第１キャビネット部分(1)は、カメラの背面とカメラの側面の一部とを構成する。カメラの背面に相当する部分には、カメラ完成時に表示装置(2)が露出する長方形の開口(11)と、ファインダ装置装着用の開口(17)と、ボタン及びスイッチが挿通する開口(18)とが開設されている。開口(11)の周囲には、表示装置(2)を受け入れる窪み(12)が形成されており、開口(11)を囲む枠状の押圧部材(16)が突出している。さらに、押圧部材(16)の外側において、開口(11)の下側に第１位置決め部材(13a)(13a)が、開口(11)の左側に第２位置決め部材(13b)(13b)が、それぞれ２つずつ突出している。これら第１位置決め部材(13a)(13a)及び第２位置決め部材(13b)(13b)は、第１キャビネット部分(1)を第２キャビネット部分(4)に取り付ける際に、夫々、第１ストッパ部材(51b)の付近と第２ストッパ部材(52b)の付近に位置するように配置されている。
【００２８】
図４ｂは、図４ａにおけるIII−III線を含む平面で破断した第１位置決め部材(13a)とその周辺を示す拡大図である。第１位置決め部材(13a)には、開口(11)の縁辺(11a)に平行であり、窪み(12)の底面に垂直な平面である、基準面(14)が形成されている。さらに、基準面(14)と第１位置決め部材(13a)の先端部との間には、第１位置決め部材(13a)の先端部から開口(11)に向かって傾斜するガイド面(15)が形成されている。ガイド面(15)は、第１キャビネット部分(1)が第２キャビネット部分(4)に取り付けられると、第１バネ部材(51a)と第１ストッパ部材(51b)とによって挟持されている表示装置(2)を、第１バネ部材(51a)の付勢力に逆って移動させる。この移動の結果、基準面(14)に表示装置(2)の下側面が当接して、基準面(14)と第１バネ部材(51a)の間で表示装置(2)が保持される。第２位置決め部材(13b)は、第１位置決め部材(13a)と同じ形状をしており、第１位置決め部材(13a)を時計方向に９０度回転させたように配置されている。第２位置決め部材(13b)は、第１位置決め部材(13a)と同様に働いて、表示装置(2)の右側面に当接し、第２バネ部材(52a)と共に表示装置(2)を保持する。
【００２９】
開口(11)と第１及び第２位置決め部材(13a)(13b)は、第１キャビネット部分(1)の成形の際に同時に形成されており、第１及び第２位置決め部材(13a)(13b)は、開口(11)に対して所定の位置に高精度で配置されている。従って、表示装置(2)の下側面及び右側面が、夫々、第１位置決め部材(13a)(13a)及び第２位置決め部材(13b)(13b)の基準面(14)に当接すると、表示装置(2)が、開口(11)に対して所定の位置に高精度で配置される。
【００３０】
カメラの組立て作業では、第２キャビネット部分(4)にホルダ(3)を仮固定し、次にホルダ(3)の平面部(30)上に表示装置(2)を取り付けた後に(又は、平面部(30)上に表示装置(2)を取り付けて、次に第２キャビネット部分(4)にホルダ(3)を固定した後に)、第１キャビネット部分(1)が第２キャビネット部分(4)に取り付けられる。図５は、第１キャビネット部分(1)を第２キャビネット部分(4)に取り付けた状態を示す平面図である。図６ａは、表示装置(2)が位置決め及び固定される過程を説明する図である。図６ａは、図３におけるII−II線を含む平面にて破断した表示装置(2)及びその周辺を示す断面図であり、第１キャビネット部分(1)と第２キャビネット部分(4)の嵌合前の状態を示している。図６ｂは、嵌合途中の状態を示している。図６ｃは、図５におけるIV−IV線に沿う断面図であり、嵌合完了状態を示している。
【００３１】
表示装置(2)は、ホルダ(3)の平面部(30)上に予め取り付けられている(図６ａ)。この状態において、表示装置(2)は、バネ部材(51a)(52a)及びストッパ部材(51b)(52b)によって挟持されており、表示装置(2)の背面と平面部(30)の間には若干の隙間がある。作業者は、第１キャビネット部分(1)を第２キャビネット部分(4)に対して位置決めして、第２キャビネット部分(4)に向かって押し付ける。すると、表示装置(2)の枠体(22)の角部(22a)に、第１位置決め部材(13a)のガイド面(15)が当接して、表示装置(2)が右側及び下側から押される(図５に表示装置(2)が押される方向を矢印で示す）。そして、図６ｂに示すように、枠体(22)の角部(22a)がガイド面(15)に押されて、表示装置(2)は、第１バネ部材(51a)の付勢力に抗しつつ、第１ストッパ部材(51b)から離れて基準面(14)に向かって移動する。
【００３２】
枠体(22)の角部(22a)がガイド面(15)上を移動した後、表示装置(2)が第１位置決め部材(13a)の基準面(14)によって支持されると、図５及び図６ｃに示すように、表示装置(2)は、開口(11)に対して所定の位置に位置決めされる。図６ｃに示すように、表示装置(2)は、第１バネ部材(51a)と第１位置決め部材(13a)によって挟持される。同様にして、表示装置(2)が、第２バネ部材(52a)と第２位置決め部材(52b)によって挟持されることは容易に理解されるであろう。押圧部材(16)によって表示装置(2)の前面が押圧されると、表示装置(2)は、ホルダ(3)の平面部(30)と押圧部材(16)とによって挟持される。最後に、ネジ等によって第１キャビネット部分(1)は第２キャビネット部分(4)に固定される。
【００３３】
押圧部材としてガラス板等の透明板(20)を用いてもよい。図１０ａに示すように、枠状の押圧部材(16)に代わる透明板(20)が、開口(11)を塞ぐように第１キャビネット部分(1)の裏面に接合される。第１キャビネット部分(1)が取付けられると、図１０ｂに示すように、表示装置(2)は、ホルダ(3)と透明板(20)によって狭持される。表示装置(2)は、透明板(20)を介して開口(11)から見ることができる。透明板(20)を用いると、表示装置(2)を、カメラの外部から加わる衝撃から保護できる。
【００３４】
バネ部材(51a)(52a)の付勢力に逆らって表示装置(2)を移動させるガイド手段は、位置決め部材(13a)(13b)に変えて、表示装置(2)に形成されてもよい。図７ａに示す表示装置(2)の右端及び下端には、表示装置(2)の前面から後方且つ外方へ向かって傾斜するガイド面(28)(28)が形成されている。図７ｂは、このような実施例において、第１キャビネット部分(1)が第２キャビネット部分(4)に取り付けられる途中の状態を示す。第１位置決め部材(13a)は、角柱状に形成されており、図４ｂのようなガイド面(15)は形成されていない。基準面(14)は、窪み(12)の底面から第１位置決め部材(13a)の先端部まで形成されている。第１キャビネット部分(1)を第２キャビネット部分(4)に向かって押し付けると、第１位置決め部材(13a)の先端部がガイド面(28)を押すことによって、表示装置(2)は、第１バネ部材(51a)の付勢力に抗しつつ上方に移動する。図示は省略するが、第２位置決め部材(13b)も第１位置決め部材(13a)と同様に形成されており、表示装置(2)は第２バネ部材(52a)の付勢力に抗じて右方へ移動する。
【００３５】
図８ａ及び図８ｂに示す如く、ガイド面(28)が形成されたガイド部材(29)を、表示装置(2)の枠体(22)の各側面に形成し、第１キャビネット部分(1)の裏面に、各ガイド面(28)に対応してフォロワー(19)を突設してもよい。図８ｂは、この実施例において第１キャビネット部分(1)が取り付けられる途中の状態を示す断面図である。第１キャビネット部分(1)と第２キャビネット部分(4)を近づけると、フォロワー(19)は、ガイド面(28)を押して、第１バネ部材(51a)の付勢力に抗して表示装置(2)を第１ストッパ部材(51b)から押し上げる。フォロワー(19)がガイド面(28)を乗り越えると、表示装置(2)の下側面が位置決め部材(13a)の基準面(14)と当接し、表示装置(2)が位置決め及び保持される。同様にして、表示装置(2)は、バネ部材(52a)の付勢力に抗じて右方へ移動し、位置決め及び保持される。上記のように、本発明によれば、表示装置(2)をホルダ(3)に取り付けて、第１キャビネット部分(1)を第２キャビネット部分(4)に取り付けるだけで、開口(11)に対して高精度で表示装置(2)を位置決めし、表示装置(2)を固定することができる。なお、図５に示すように、上記実施例では、表示装置(2)はカメラ背面の左下に位置しているが、本発明において、表示装置(2)の位置は特に限定されない。バネ部材(51a)(52a)による付勢力の方向も、本実施例に図３に示したような右方向及び下方向に限定されない。
【００３６】
本発明が適用される装置は複数のキャビネットを有し、その中のあるキャビネットが表示装置(2)を具えていてもよい。また、ホルダ(3)が不要な場合には、バネ部材(51a)(52a)及びストッパ部材(51b)(52b)等を第２キャビネット部分(4)に設けてもよい。さらに、第１キャビネット部分(1)が取り付けられる対象は、第２キャビネット部分(4)ではなくホルダ(3)であってもよい。
【００３７】
図９ａに、本発明を携帯電話に適用した実施例の分解斜視図を示す。この携帯電話は、２つのキャビネット、すなわち第１キャビネット(61)と第２キャビネット(62)とを具えている。第２キャビネット部分(62)内には、信号の送受信に必要な内部装置が収納されており、第１キャビネット(61)内には、表示装置(2)が収納される。第１キャビネット(61)は、第１キャビネット部分(1)と第２キャビネット部分(4)で構成されており、第１キャビネット部分(1)は、第２キャビネット(62)とヒンジ機構で接続されている。第２キャビネット部分(4)の裏面には、バネ部材(51a)(52a)とストッパ部材(51b)(52b)が設けられており、これらによって表示装置(2)が挟持される。第１キャビネット部分(1)の裏面には、位置決め部材(13a)(13b)及び押圧部材(16)が開口(11)の周囲に突出している。第２キャビネット部分(4)を第１キャビネット部分(1)に取り付けることにより、先述の実施例と同様に、表示装置(2)は、開口(11)に対して正確に位置決めされ、固定される。
【００３８】
図９ｂに示すように、表示装置(2)に加えて、第２キャビネット部分(4)に露出する表示装置(2a)を具えるように、図９ａの実施例を改良してもよい。図９ｂでは、第１キャビネット部分(1)及び第２キャビネット(62)は省略してある。この携帯電話は、第１キャビネット部分(1)に形成された開口(11)から露出する表示装置(2)と、第２キャビネット部分(4)に形成された開口(11a)から露出する小型の表示装置(2a)とを具える。第１キャビネット部分(1)と向き合う板状のホルダ(3)の表面には、表示装置(2)を取り付けるためのバネ部材(51a)(52a)とストッパ部材(51b)(52b)が突設されている。さらに、第２キャビネット部分(4)と向き合うホルダ表面には、表示装置(2a)を取り付けるためのバネ部材(51c)(52c)とストッパ部材(51d)(52d)が突出している。第２キャビネット部分(4)には、開口(11a)の周囲に押圧部材(16a)が突出しており、押圧部材(16a)の外側に、バネ部材(51c)(52c)に対応して位置決め部材(13c)(13d)が突出している。
【００３９】
ホルダ(3)に表示装置(2a)を取り付け、第２キャビネット部分(4)をホルダ(3)の一方の表面に取り付けると、先述の実施例と同様に、表示装置(2a)は、開口(11a)に対して位置決めされ、固定される。その後、ホルダ(3)の他方の表面に表示装置(2)を取り付ける。以後の組立て作業は同様に行われる。このように、本発明によれば、複数の表示装置がそれぞれに対応して開設されたキャビネットの開口から見えるような電子装置でも、組立て作業は容易であり、開口に対して高精度で表示装置を取付けできる。
【００４０】
上記の全ての実施例では、異なる方向に表示装置(2)を付勢する２種類のバネ部材(51a)(52a)を用いている。表示装置(2)の寸法精度が良い場合には、第１バネ部材(51a)又は第２バネ部材(52a)のいずれか一方のみを設け、これに対応して第１位置決め部材(13a)又は第２位置決め部材(13b)のいずれか一方のみを設けてもよい。
【００４１】
上記の実施例では、電子装置のキャビネットは、第１キャビネット部分(1)と第２キャビネット部分(4)で構成されているが、電子装置のキャビネットは必ずしも２分割される必要はない。例えば、図１に示す実施例において、第１キャビネット部分(1)は、開口(11)を含む部分とそれ以外の部分とに分割されてもよい。前者を第２キャビネット部分(4)に取り付けることにより、上述したように、表示装置(2)を開口(11)対して正確に位置決めできることはらかであろう。さらに、上記の実施例では、表示装置(2)(2a)は、長方形状の形状を有しているが、本発明において表示装置の形状は特に限定されない。
【００４２】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】本発明に係るカメラの分解斜視図である。
【図２】図２ａは、ホルダの平面図である。図２ｂは、図２ａにおけるI−Iを含む平面にて第２バネ部材及びその周囲を破断した状態を示す拡大断面図である。
【図３】第２フレームの平面部上に表示装置が取り付けられた状態を示す平面図である。
【図４】図４ａは、第１キャビネット部分を裏側から見た斜視図である。図４ｂは、第１位置決め部材の拡大図である。
【図５】第１キャビネット部分を第２キャビネット部分に取り付けた状態を示す平面図である。
【図６】図６ａ乃至図６ｃは、表示装置の位置決め過程を説明する断面図である。図６ａは、図３におけるII−II線を含む平面にて、カメラを破断した状態を示す断面図である。図６ｂは、第１及び第２キャビネット部分の嵌合途中の状態を示す断面図である。図６ｃは、図５におけるIV−IV線を含む平面にて、カメラを破断した状態を示す断面図である。
【図７】図７ａは、ガイド面が形成された表示装置を示す斜視図である。図７ｂは、この表示装置を用いた場合における、第１及び第２キャビネット部分の嵌合途中の状態を示す断面図である。
【図８】図８ａは、ガイド部材が形成された表示装置を示す斜視図である。図８ｂは、この表示装置を用いた場合における、第１及び第２キャビネット部分の嵌合途中の状態を示す断面図である。
【図９】図９ａは、本発明に係る携帯電話を示す分解斜視図である。図９ｂは、図９ａに示した実施例を改良した他の実施例である。
【図１０】図１０ａは、押圧部材にガラス板を用いた第１キャビネット部分を裏側から見た斜視図である。図１０ｂは、第１キャビネット部分の取付け後において、図１０ａにおけるV−V線を含む平面にてカメラを破断した状態を示す断面図である。
【図１１】図１１ａ及び図１１ｂは、従来のカメラのＬＣＤ及びその周辺を示す断面図である。図１１ａは、第１従来例を示す。図１１ｂは、第２従来例を示す。
【符号の説明】
(1)  第１キャビネット部分
(2)  表示装置
(3)  ホルダ
(4)   第２キャビネット部分
(11)  開口
(13a)(13b)   位置決め部材
(14)  基準面
(15)  ガイド面
(16)  押圧部材
(20)  透明板
(28)  ガイド面
(51a)(52a)   バネ部材
(51b)(52b)   ストッパ部材
【図１】
0004301799.tif 000002
【図２】
0004301799.tif 000003
【図３】
0004301799.tif 000004
【図４】
0004301799.tif 000005
【図５】
0004301799.tif 000006
【図６】
0004301799.tif 000007
【図７】
0004301799.tif 000008
【図８】
0004301799.tif 000009
【図９】
0004301799.tif 000010
【図１０】
0004301799.tif 000011
【図１１】
0004301799.tif 000012